(57)【特許請求の範囲】
【請求項１】
底板上の前面側略中央に載置された圧縮機と、同圧縮機の背面側と両側とにわたって設けられ、略凹状に折曲形成された熱交換器と、同熱交換器の背面部に対向して設けられた送風機と、前記熱交換器の両側に設けられた側板の上端に固定された保持板上に保持され、電気部品を収容して上部が電装カバーで覆われ、前面壁に設けた挿通孔から前記送風機等に導かれるリード線を導出した電装品箱と、同電装品箱の一側に設けられ、接続バルブ取付板に取り付けられた接続バルブと、これら接続バルブおよび電装品箱の上部をカバーするトップカバーと、前記底板に被着され、前面からなるフロントカバーと背面および両側面からなるリヤカバーとで構成される外胴とからなる空気調和機の室外機において、
前記フロントカバーに、前記電装品箱の前面壁および前記リード線に対向する開口部を有して断面略凹状に形成された保護カバーを付設し、同保護カバーの開口部先端を前記電装品箱の前面壁に近接または当接して前記リード線を保護するようにしたことを特徴とする空気調和機の室外機。
【請求項２】
前記保護カバーの前面と、前記フロントカバーの周縁前端部とに、これらを接続するリブを立設したことを特徴とする請求項１に記載の空気調和機の室外機。
【請求項３】
前記リブを、前記保護カバーの前面両側と、前記フロントカバーの周縁前端部とを接続して立設したことを特徴とする請求項２に記載の空気調和機の室外機。
【請求項４】
前記リブを、前面側に傾斜部を備えて略三角形状に形成したことを特徴とする請求項２または請求項３に記載の空気調和機の室外機。
【請求項５】
前記フロントカバーが合成樹脂からなり、同フロントカバーと前記保護カバーおよび前記リブとを一体的に形成したことを特徴とする請求項１乃至請求項４に記載の空気調和機の室外機。
【請求項６】
前記電装品箱の挿通孔を、前記トップカバーおよび前記フロントカバーの接合部よりも上位に設けたことを特徴とする請求項１に記載の空気調和機の室外機。
【請求項７】
前記挿通孔の周縁部に、外側に突出して前記保護カバーに収容されるフランジを設けたことを特徴とする請求項６に記載の空気調和機の室外機。
【請求項８】
前記フランジを、略Ｕ字状に形成したことを特徴とする請求項７に記載の空気調和機の室外機。
【請求項９】
前記フランジを、前記電装品箱と一体的に形成したことを特徴とする請求項８に記載の空気調和機の室外機。
【発明の詳細な説明】
【０００１】
【発明の属する技術分野】
本発明は、空気調和機の室外機に係わり、より詳細には、本体上部の電装品箱前部の挿通孔から導出しリード線を保護する保護カバーを設けるとともに、トップカバーおよびフロントカバーの接合部から侵入した雨水が、前記挿通孔から前記電装品箱内に侵入しないように防止した構造に関する。
【０００２】
【従来の技術】
従来の空気調和機の室外機は、例えば図１と図５とで示すように、底板１上の前面側略中央に載置されて圧縮機カバー2aでカバーされた圧縮機２と、同圧縮機２の背面側と両側とにわたって設けられ、略凹状に折曲形成された熱交換器３と、同熱交換器３の背面部に対向して設けられた送風機５と、前記熱交換器３の両側に設けられた側板４の上端に固定された保持板６上に保持され、電気部品を収容して上部が電装カバー７で覆われ、前面壁に設けた挿通孔から前記送風機５等に導かれるリード線ａを導出した電装品箱８と、同電装品箱８の一側に設けられ、接続バルブ取付板９に取り付けられた接続バルブ10と、これら接続バルブ10および電装品箱８の上部をカバーするトップカバー11と、前記底板１に被着され、前面からなるフロントカバー12と背面および両側面からなるリヤカバー13とで構成される外胴とからなる構成であった。
【０００３】
しかしながら、例えばメンテナンスを行う時に前記トップカバー11を取り外した際、前記リード線ａが剥き出しになって損傷させてしまう恐れがあったり、前記トップカバー11を取り付ける時に、前記リード線ａを前記フロントカバー12との間に挟んでしまう恐れがあって作業性が悪くなるという問題を有していた。
【０００４】
また、前記トップカバー11および前記フロントカバー12の接合部から侵入した雨水が、前記挿通孔8aから前記電装品箱８内に侵入して内部の電気部品を故障させてしまう恐れがあった。
【０００５】
【発明が解決しようとする課題】
本発明は、上記の問題点に鑑み、本体上部の電装品箱前部の挿通孔から導出しリード線を保護する保護カバーを設けるとともに、トップカバーおよびフロントカバーの接合部から侵入した雨水が、前記挿通孔から前記電装品箱内に侵入しないように防止した空気調和機の室外機を提供することを目的とする。
【０００６】
【課題を解決するための手段】
本発明は上記課題を解決するため、底板上の前面側略中央に載置された圧縮機と、同圧縮機の背面側と両側とにわたって設けられ、略凹状に折曲形成された熱交換器と、同熱交換器の背面部に対向して設けられた送風機と、前記熱交換器の両側に設けられた側板の上端に固定された保持板上に保持され、電気部品を収容して上部が電装カバーで覆われ、前面壁に設けた挿通孔から前記送風機等に導かれるリード線を導出した電装品箱と、同電装品箱の一側に設けられ、接続バルブ取付板に取り付けられた接続バルブと、これら接続バルブおよび電装品箱の上部をカバーするトップカバーと、前記底板に被着され、前面からなるフロントカバーと背面および両側面からなるリヤカバーとで構成される外胴とからなる空気調和機の室外機において、
前記フロントカバーに、前記電装品箱の前面壁および前記リード線に対向する開口部を有して断面略凹状に形成された保護カバーを付設し、同保護カバーの開口部先端を前記電装品箱の前面壁に近接または当接して前記リード線を保護するようにした構成となっている。
【０００７】
また、前記保護カバーの前面と、前記フロントカバーの周縁前端部とに、これらを接続するリブを立設した構成となっている。
【０００８】
また、前記リブを、前記保護カバーの前面両側と、前記フロントカバーの周縁前端部とを接続して立設した構成となっている。
【０００９】
また、前記リブを、前面側に傾斜部を備えて略三角形状に形成した構成となっている。
【００１０】
また、前記フロントカバーが合成樹脂からなり、同フロントカバーと前記保護カバーおよび前記リブとを一体的に形成した構成となっている。
【００１１】
また、前記電装品箱の挿通孔を、前記トップカバーおよび前記フロントカバーの接合部よりも上位に設けた構成となっている。
【００１２】
また、前記挿通孔の周縁部に、外側に突出して前記保護カバーに収容されるフランジを設けた構成となっている。
【００１３】
また、前記フランジを、略Ｕ字状に形成した構成となっている。
【００１４】
更に、前記フランジを、前記電装品箱と一体的に形成した構成となっている。
【００１５】
【発明の実施の形態】
以下、本発明の実施の形態を、添付図面に基づいた実施例として説明する。
図１と、図２と、図３（Ａ）および図３（Ｂ）と、４（Ａ）および図４（Ｂ）とにおいて、１は底板、２は同底板１上の前面側略中央に圧縮機カバー2aで覆われて載置された圧縮機、３は同圧縮機２の背面側と両側とにわたって略凹状に折曲した熱交換器、５は同熱交換器３の背面部に対向して設けられた送風機、８は前記熱交換器３の両端に取り付けられた側板４の上端に固定された保持板６の保持面に保持され、内部に電気部品を収容して上部を電装カバー７で覆われ、前部に設けた挿通孔8aから前記送風機５等に導かれるリード線ａを導出した電装品箱、10は同電装品箱８の一側に設けられ、接続バルブ取付板９に取り付けられた接続バルブ、11は同接続バルブ10および前記電装品箱８の上部をカバーするトップカバー、12は前記底板１に被着され、前面からなるフロントカバー、13は背面および両側面からなるリヤカバーで、これらフロントカバー12およびリヤカバー13により、前記圧縮機２および前記熱交換器３等を保護する外胴が構成されている。
【００１６】
前記フロントカバー12に、前記電装品箱８の前面壁および前記リード線ａに対向する開口部を有して断面略凹状に形成された保護カバー14を付設し、同保護カバー14の開口部先端を前記電装品箱８の前面壁に近接または当接して前記リード線ａを保護するようにした構成となっており、
これによって、例えばメンテナンス時に前記トップカバー11を取り外した際、前記保護カバー14により前記リード線ａが損傷しないよう保護できるようになるとともに、前記トップカバー11を取り付ける時に、前記リード線ａを前記フロントカバー12との間に挟んでしまう恐れがなくなって作業性がよくなるようにした構造となる。
【００１７】
また、図３（Ａ）で示すように、前記保護カバー14の前面と、前記フロントカバー12の周縁前端部とに、これらを接続するリブ15を立設したことにより、前記保護カバー14の強度を増強できるようにした構成となっている。
【００１８】
また、前記リブ15を、図３（Ｂ）で示すように、前記保護カバー14の前面両側と、前記フロントカバー12の周縁前端部とを接続して立設したことにより、上記に説明したのと同様に、前記保護カバー14の強度をより増強できるようにした構成となっている。
【００１９】
また、前記リブ15を、図３（Ａ）および図３（Ｂ）で示すように、前面側に傾斜部を備えて略三角形状に形成したことにより、前記トップカバー11を取り付ける際、同トップカバー11の前部を前記傾斜部で案内して前記フロントカバー12に正確に接合できるようにした構成となっている。
【００２０】
また、前記フロントカバー12が合成樹脂からなり、同フロントカバー12と前記保護カバー14および前記リブ15とを一体的に形成したことにより、寸法形状を正確に仕上げることができるとともにコスト的に有利な構成となっている。
【００２１】
また、前記電装品箱８の挿通孔8aを、前記トップカバー11および前記フロントカバー12の接合部よりも上位に設けたことにより、同接合部から侵入した雨水が前記挿通孔8aから前記電装品箱８の内部に侵入しにくくなって、同電装品箱８内の電気部品が雨水の侵入によって故障しないように防止できるようにした構成となっている。
【００２２】
また、前記挿通孔8aの周縁部に、図４（Ａ）および図４（Ｂ）で示すように、外側に突出して前記保護カバー14に収容されるフランジ16を設けたことにより、前記トップカバー11および前記フロントカバー12の接合部から侵入した雨水が前記挿通孔8aから前記電装品箱８の内部に侵入できないように、更に効果的に防止できるようにした構成となっている。
【００２３】
また、前記フランジ16を、図４（Ａ）で示すように略Ｕ字状に形成したことにより、前記説明のとおり、前記電装品箱８内への雨水の侵入を効果的に防止できるとともに、前記挿通孔8aから導出した前記リード線ａの弛み具合などを斜め上方から容易に視認しながら、該箇所を前記保護カバー14で保護できるようにした構成となっている。
【００２４】
更に、前記フランジ16を、前記電装品箱８と一体的に形成したことにより、寸法形状を正確に仕上げることができるとともにコスト的に有利な構成となっている。
【００２５】
以上の構成により、図１と、図２と、図３（Ａ）および図３（Ｂ）と、４（Ａ）および図４（Ｂ）とで示すように、前記フロントカバー12に、前記電装品箱８の前面壁および前記リード線ａに対向する開口部を有して断面略凹状に形成された保護カバー14を付設し、同保護カバー14の開口部先端を前記電装品箱８の前面壁に近接または当接して前記リード線ａを保護するようにしたので、例えばメンテナンス時に前記トップカバー11を取り外した際、前記保護カバー14により前記リード線ａが損傷しないよう保護できるようになるとともに、前記トップカバー11を取り付ける時に、前記リード線ａを前記フロントカバー12との間に挟んでしまう恐れがなくなって作業性を向上できるようになり、
また、前記リード線ａを導出する前記挿通孔8aを、前記トップカバー11および前記フロントカバー12の接合部よりも上位に設けるとともに、該挿通孔8aの周縁部に前記フランジ16を設けたので、前記接合部から侵入した雨水が、前記挿通孔8aから前記電装品箱８の内部に侵入することがないようにした空気調和機の室外機となる。
【００２６】
【発明の効果】
以上のように本発明によると、本体上部の電装品箱前部の挿通孔から導出しリード線を保護する保護カバーを設けるとともに、トップカバーおよびフロントカバーの接合部から侵入した雨水が、前記挿通孔から前記電装品箱内に侵入しないように防止した空気調和機の室外機となる。
【図面の簡単な説明】
【図１】本発明および従来例による空気調和機の室外機を示す分解斜視図である。
【図２】本発明による空気調和機の室外機の斜視図である。
【図３】本発明による空気調和機の室外機の要部説明図で、（Ａ）は保護カバーおよびリブの側面図であり、（Ｂ）は斜視図である。
【図４】本発明による空気調和機の室外機の要部説明図で、（Ａ）は電装品箱の斜視図であり、（Ｂ）は（Ａ）で示すＡ矢視図である。
【図５】従来例による空気調和機の室外機の斜視図である。
【符号の説明】
１  底板
２  圧縮機
2a  圧縮機カバー
３  熱交換器
４  側板
５  送風機
６  保持板
７  電装カバー
８  電装品箱
９  接続バルブ取付板
10  接続バルブ
11  トップカバー
12  フロントカバー
13  リヤカバー
14  保護カバー
15  リブ
16  フランジ
【図１】
0003855470.tif 000002
【図２】
0003855470.tif 000003
【図３】
0003855470.tif 000004
【図４】
0003855470.tif 000005
【図５】
0003855470.tif 000006